(57)【要約】    【課題】    商品を収納して販売する際等にて用いる商品収納用袋で、商品の名や商品に関する情報を表示する手段を設けることの困難な巾着型の袋で、表示手段として用いるタグの取り付けが容易な構成にする。    【解決手段】    合成樹脂製シート又は紙の表裏２枚よりなりその３辺を接合して袋状部分を形成したものの残りの１辺である商品の出し入れのための口の近傍に配置した紐を有するもので、この紐を締めることにより口の開閉を行なう巾着型の袋、例えば紐を通す細長い孔を口に沿って設け、この細長い孔を通して口を開閉する紐を設けた巾着型の袋で、細長い孔のうちの袋の中央に小孔を設け、これによりタグ、リボンの取り付けが容易になると共に、紐を締めた時にタグが見易い位置に、またリボン等の飾りが袋全体の外観上好ましい位置に来る。【選択図】            図１
0003106704.tif 000002
【実用新案登録請求の範囲】
【請求項１】
表裏２枚のシートの３辺を接合し、残りの１辺を商品を出し入れする口とした袋状部分と、前記袋状部分の口の近傍に設けられ口の開閉に用いられる紐とを有し、前記紐を引くことにより口を閉じるようにした巾着型の商品収納用袋で、前記袋状部分の中央において紐が袋状部分の外に出るようにしてタグ等を取り付け得るようにした商品収納用袋。
【請求項２】
前記袋状部材の表裏２枚のシートの口の付近に夫々口を形成する１辺に沿って伸びる細長い孔を形成し、この細長い孔に紐を通した請求項１の商品収納用袋。
【請求項３】
前記表裏シートに多数の小孔を設け、前記小孔を袋外より袋内へ更に袋内より袋外へと交互に紐を通したもので、少なくとも表面側と裏面側の中央において、紐が袋の外に位置するようにした請求項１の商品収納用袋。
【考案の詳細な説明】
【技術分野】
【０００１】
本考案は、商品を収納する袋で、商品販売時等において、商品を入れて持ち帰る等に使用する巾着型の袋に関するものである。
【背景技術】
【０００２】
従来、商品収納用袋として、例えばシャンプー等の商品を入れそのまま購入者が持ち帰るのに便利な構成にしたもので、袋状部分に把手を設けたものや、袋状部分の口の付近に紐を取り付け、商品を入れた上で紐を締め、また紐をさげて持ち帰るようにした巾着型の袋等がある。
【０００３】
これら商品収納用袋は、持ち帰りに便利な構成にすると共に、収納する商品に関する各種情報をなんらかの手段にて表示する機能を持たせる必要がある。
【０００４】
そのために、袋に商品の情報を表示したタグを取り付けたり、袋の表面に印刷等により商品名やその他の情報を直接表示する方法等がとられている。
【０００５】
又、商品収納用袋の場合、一般に、合成樹脂製の薄いシートや紙製等であり、しかも極めて簡単な構造である。つまり、合成樹脂シートや紙を用い商品を出し入れする口になる１辺を残し３辺を接合して長方形または正方形の４角形状の袋としたものがほとんどである。そして、巾着型の袋は、４角形状の袋の口の近くに紐を取り付け、この紐を引くことにより口を締めるようにしたものである。    このような巾着型の商品収納用袋において、前述のように袋の上方であってしかも中央の最も好ましい位置に取り付けることは困難である。
【０００６】
つまり、巾着型の袋の場合、タグを取り付ける個所が限られ、又、袋の表面に商品に関する情報等を表示した場合、紐を閉めて袋の口の部分を絞って閉じた場合、表示部分がしわになり、表示内容が見にくくなる。特に、袋の上方で口に近い部分、つまり表示したことによる効果の最もある部分では、ほとんど表示内容が理解できず、表示した意味が全くなくなる。
【考案の開示】
【考案が解決しようとする課題】
【０００７】
本考案は、茶巾型の商品収納用袋であって、商品情報等を表示するタグやリボン等の飾りの取り付けが容易である構成にした商品収納用袋を提供するものである。
【課題を解決するための手段】
【０００８】
本考案の商品収納用袋は、合成樹脂製シートや紙等よりなる正方形あるいは長方形の４角形状シートを表裏２枚用い、その１辺を残して３辺を接合して袋状にしたもので、残りの１辺を商品を出し入れし得る口とし、この口の部分の１辺の近くでこれに沿って設けた紐を有し、この紐を引くことにより残りの１辺である口の部分を絞って口を閉じるようにしたもので、特に、４角形の表側シートの袋の口を形成する辺の中央近傍において紐がシートの外に露出するような構成にしたものである。
【０００９】
そして、本考案の商品収納用袋は、紐を緩めることにより口の部分である１辺を開いて商品を袋に入れた上で紐を閉めて口を閉じると共に紐を持って袋を提げるようにした茶巾状の袋である。
【００１０】
特に本考案の商品収納用袋は、少なくとも表側のシートの口を形成する辺の中央において紐がシートの外に出るようにし、これにより紐に商品に関する情報を表示したタグやリボン等の飾りを最も適した位置に簡単に取り付け得るようにしたものである。
【００１１】
本考案の商品収納用袋は、更に具体的には、後の実施例のように、表裏のシートの口を形成する辺の近くに、辺にほぼ平行に紐を通す長孔を形成すると共に、この長孔の中央に小孔を設けることによって、長孔に紐を通して紐を袋の口の近くに設けるようにし、また小孔部分にて紐とが外に露出するようにするかあるいはこの兆候より紐の１部分を出すことにより、商品に関する情報を表示したタグ等やリボン等の飾りを取り付けるようにしたものである。
【００１２】
また、本考案の商品収納用袋の他の構成は、袋を形成するシートの口を形成する辺の近くに、この辺に沿って並ぶ小孔を複数個シートにあけ、この小孔を利用して紐を外より袋内にまた、袋内より外に交互に出し入れすることによってシートに紐を設けるようにしたもので、少なくともシートの口を形成する辺の中央に位置する個所において紐を外に出すようにし、この中央の外に出た紐に商品に関する情報を表わすタグやリボン等の飾り等を取り付けるようにしたものである。
【考案の効果】
【００１３】
本考案の商品収納用袋は、表側及び裏側の２枚の４角形状のシートをその３辺を接合することにより袋状にしたもので、口を形成する残りの１辺の近くでこれと並んで設けられた紐を有し、少なくとも４角形状袋の口の辺の中央付近において紐が袋の外に位置するようにしたもので、この部分を利用してタグあるいはリボンその他を簡単に取り付け得るようにした巾着型の袋である。しかもこの巾着型袋に商品を入れた紐を利用してその口を閉めても、タグ、リボン等は、袋の上部（口に近い箇所）に位置し、タグの場合は、その表示内容を最も見易い状態にて保持され、また、リボン等の飾りの場合、袋全体として最もバランスの良いところに位置し、袋のみの外観が全体として好ましい構成になる等の効果を有する。
【考案を実施するための最良の形態】
【００１４】
本考案の実施例の形態を開示する実施例にもとづいて説明する。
【実施例１】
【００１５】
本考案の商品収納用袋の実施例１は、図１、２に示すような構成の袋である。これら図のうち図１は正面図、図２は背面図である。即ち、シート状の前面と背面よりなり、図における上辺の口となる部分以外を接合して袋状としたもので、袋状部分１の商品等を出し入れするための口１ａの近傍で、袋状部分１の前後の面に横に長い紐を通し得る細長い孔を形成し、この細長い孔２に紐３、４を通した構成である。この細長い孔２は、例えば袋状部分１を形成するシートの表面に同様の材料にて形成された細長いシートをその上下部分を接合し、接合された上下２辺間が長い孔を構成する等の手段にて形成されている。ここで、紐３、４のうち紐３は、例えば紐を通すための細長い孔２の図面右側より通し、反対側にて折り返して（図４の３ｂのように折り返して）裏面側に設けられた細長い孔を通して右側に出した上で両端３ａを結び、同様に他の紐４は、左側より表面側に設けられた細長い孔２より通し左側にて折り返し（図４の４ｂのように折り返し）、裏面側の細長い孔を通して右側へ出し、両端４ａを結ぶ。
【００１６】
この図１、２に示す実施例１の袋は、袋状部分１の表面側の細長い孔２の中央に小孔５を設けたことを特徴とする。即ち、この小孔５を設けたことにより、この小孔５を利用して紐３、４に商品情報等を記入したタグ６を取り付けることが可能になる。
【００１７】
そして、袋状部分１の口１ａを開けて商品を入れた後に紐３、４をその結び３ａ、４ａより引くことにより、袋状部分１の口１ａを閉めることが可能である。しかも、口１ａを閉めた状態にても、タグ６は紐に結ばれた状態にて保持され、最も目立つ袋の中央に位置することになる。つまり図３に示すように、最も見易い位置にタグがおかれる。
【００１８】
この実施例１の商品収納用袋において、タグの代わりにリボン等の簡単な飾りを設けてもよい。この場合も袋状部材１の細長い孔の中央に設けられた小孔５を利用して、リボン等の飾りを紐３、４に簡単に取り付けることが可能である。    また、袋状部材１を表裏同一の形状、構成にし、表裏関係のないものとし、表側、裏側の両方に夫々小孔を設けておけば、タグまたはリボンを紐に取り付ける際の作業が容易になる。
【００１９】
また、この実施例１の商品収納用袋において、タグやリボン等を取り付ける方法は、前述の方法のほか、次の方法でもよい。つまり、紐３又は紐４の所定位置に予めタグやリボンを取り付け、この紐の先を小孔５より挿入し、細長い孔２を夫々右方法と左方向に通し、一方向を折り返して裏面の細長い孔２を通して両方の先の部分を同一方向に出して結べばよい。この場合、例えばタグやリボンを環等に固定し、この環に紐を通す等の手段により、タグ、リボンが取り付けた紐に対して移動可能にしておけば、タグ、リボンの取り付け作業が容易になる。
【実施例２】
【００２０】
本考案の実施例２は、図５、６に示す構成である。これら図のうち図５は正面図、図６は背面図である。この実施例２の袋は、ループ状の紐６を１本用いた巾着状の袋である。
【００２１】
この実施例２は、袋状部分１の商品出し入れのための口１ａの近傍で袋の横方向に並ぶ、つまり袋状部分１の口を形成する辺に平行に位置する複数の小孔７を袋状部分１自体に設け、この小孔７を利用して袋の内、袋の外の順に交互に紐を通して、両端６ａを結んでループ状にしたものである。そして、この結ぶ部分６ａを引くことにより、袋の口の部分を閉めて袋を閉じるようにしたものである。
【００２２】
この実施例２の袋は、紐の結び目６ａが袋の裏側の中央に来るようにし、また、袋の表側の中央部分で紐が袋の外にであるように、孔の数及び間隔を設定すればよい。それによって、袋の表側の中央に位置し袋の外側に出ている紐６にタグ８やリボン９等を取り付ければよい。
【００２３】
これにより、口１ａより商品を入れ、袋の裏側の結び目６ａを引くことにより袋の口を閉じることができる。しかも、袋を閉じたときも、タグ８またはリボン９は、図７に示すように表側の中央に位置することになる。
【００２４】
この本考案の実施例２の商品収納用袋は、口を開閉するために用いる紐が１本である。そのため、前述のように紐を交互に孔を通して取り付けた後に、所定の位置にタグまたはリボン等を取り付けるほか、初めに紐の中央にタグまたはリボンを取り付け固定した上で、紐の左右両端側を夫々小孔５を交互に通して袋の裏側にて紐の両端を結んでもよい。
【産業上の利用可能性】
【００２５】
本考案の袋は、シャンプー等の商品を販売する際に前記の商品を入れて使用するものであって、簡単な構造で商品を収納する作業が簡単である巾着型の袋であり、しかも、この種の袋において、販売のために必要である商品名やその商品名やその商品に関する情報の表示を表わすタブを、最も見易い位置に取り付けられ、又リボン等飾りを取り付けた場合に、袋全体の外観が好ましい構成になし得る。
【図面の簡単な説明】
【００２６】
【図１】本考案の実施例１の正面図
【図２】本考案の実施例１の背面図
【図３】本考案の実施例１の紐を締めた状態の正面図
【図４】本考案の実施例１の紐を通した時の紐の配置を示す拡大図
【図５】本考案の実施例２の正面図
【図６】本考案の実施例２の背面図
【図７】本考案の実施例２の紐を締めた状態の正面図
【符号の説明】
【００２７】
１  袋状部分
２  細長い孔を形成する細長いシート
３、４  紐
５  小孔
６  紐
７  小孔
８  タグ
９  リボン
【図１】
0003106704.tif 000003
【図２】
0003106704.tif 000004
【図３】
0003106704.tif 000005
【図４】
0003106704.tif 000006
【図５】
0003106704.tif 000007
【図６】
0003106704.tif 000008
【図７】
0003106704.tif 000009